(57)【要約】【課題】基準国の現在時刻を時計手段に書込むだけで種々の国の現在時刻を対象家電機器の時計機能部に書込み設定できる家電機器用時刻書込み装置を提供する。【解決手段】筐体内に基準国「日本」の時刻を計時する時計ＩＣ５６および複数の国の現在時刻に関する時差データを記憶するＲＯＭ５０が設けられ、操作パネル３８に前記複数の国の一つを選択する選択スイッチ４１ないし４４が装着されており、マイクロコンピュータ４９は、選択スイッチ４１ないし４４により選択された国に関する時差データを前記ＲＯＭ５０から読出してこの時差データに基づいて当該選択された国の現在時刻を演算して、その結果を対象とする家電機器たるドラム式洗濯機の時計機能部に書込み、時計動作を実行させる。【選択図】図１
2008241315.tif 000002
【特許請求の範囲】
【請求項１】
家電機器が有する時計機能部に現在時刻を書込むための家電機器用時刻書込み装置において、
基準国の時刻を計時する時計手段と、
複数の国の現在時刻に関する時データを記憶する記憶手段と、
前記複数の国の一つを選択する選択手段と、
この選択手段により選択された国に関する時データを前記記憶手段から読み出してこの時データに基づく当該選択された国の現在時刻を対象とする家電機器の時計機能部に書込んで時計動作を実行させる制御手段とを具備してなる家電機器用時刻書込み装置。
【請求項２】
時計機能部に書込むための現在時刻を基準国の現在時刻とは別に表示させる表示手段を有することを特徴とする請求項１記載の家電機器用時刻書込み装置。
【請求項３】
制御手段は、家電機器の時計機能部に書込んだ現在時刻の国名を当該家電機器側の記憶手段にその家電機器の有する操作部の特殊操作により読み出し可能に書込むようにしたことを特徴とする請求項１または２記載の家電機器用時刻書込み装置。
【請求項４】
制御手段は、選択手段により選択された国が前回に選択された国と異なるときには、時刻書込みの国の変更を表示手段に表表示せることを特徴とする請求項１ないし３のいずれかに記載の家電機器用時刻書込み装置。
【発明の詳細な説明】
【技術分野】
【０００１】
本発明は、家電機器が有する時計機能部に現在時刻を書込むための家電機器用時刻書込み装置に関する。
【背景技術】
【０００２】
我国で販売されている家電機器例えば洗濯機（全自動洗濯機、ドラム式洗濯機）においては、時計機能部を搭載して、常には表示器に現在時刻を表示させ、また、予約時刻が設定されたときにはその予約時刻に洗濯運転を開始させるように構成されているものが多い（例えば特許文献１参照）。この場合、時計機能部に対する現在時刻の書込み設定は、メーカの工場で家電機器用時刻書込み装置を用いて行なわれるようになっている。家電機器用時刻書込み装置は、現在時刻を計時する時計ＩＣを備えていて、コネクタが対象洗濯機のコネクタに接続されてスタートスイッチが操作されると、時計ＩＣの現在時刻を時計機能部に書込んだ上で計時動作を開始させるようになっている。
【特許文献１】特開平７−７５６９７号公報
【発明の開示】
【発明が解決しようとする課題】
【０００３】
我国においては、諸外国にも家電機器たる洗濯機を輸出しており、最近では、このような輸出用洗濯機にも時計機能部を搭載することが要望されている。従って、メーカの工場では、輸出用洗濯機の時計機能部に輸出される国の現在時刻（現地時刻）を書込まなければならない。しかしながら、家電機器用時刻書込み装置を用いないで、輸出用洗濯機の時計機能部に輸出先の現地時刻を１台毎に書込み設定することは、大変な作業になる。
【０００４】
そこで、上述した国内用の家電機器用時刻書込み装置を利用することが考えられる。ところが、上述したような構成の家電機器用時刻書込み装置では、輸出先が異なる度に、時計ＩＣをその輸出先の現地時刻に設定変更する必要があり、刻々と変化する現地時刻を調べて時計ＩＣに書込み設定することは、面倒な作業であり、設定間違いの原因にもなる。
【０００５】
本発明は上記事情に鑑みてなされたものであり、その目的は、基準となる国の現在時刻を書込むだけで種々の国の現在時刻を対象家電機器の時計機能部に書込み設定することができ、設定が容易で、確実な設定を行なうことができる家電機器用時刻書込み装置を提供することにある。
【課題を解決するための手段】
【０００６】
本発明は、家電機器が有する時計機能部に現在時刻を書込むための家電機器用時刻書込み装置において、基準国の時刻を計時する時計手段と、複数の国の現在時刻に関する時データを記憶する記憶手段と、前記複数の国の一つを選択する選択手段と、この選択手段により選択された国に関する時データを前記記憶手段から読み出してこの時データに基づく当該選択された国の現在時刻を対象とする家電機器の時計機能部に書込んで時計動作を実行させる制御手段とを具備してなることを特徴とする。
【０００７】
このような構成によれば、制御手段は、選択手段により選択された国に関する時データを記憶手段から読み出してこの時データに基づく当該選択された国の現在時刻を対象とする家電機器の時計機能部に書込んで時計動作を実行させるので、作業者は、国名を選択するだけでその国の現在時刻を設定することができる。
【発明の効果】
【０００８】
本発明の家電機器用時刻書込み装置は、作業者は、国名を選択するだけでその国の現在時刻を設定することができるので、基準となる国の現在時刻を書込むだけで種々の国の現在時刻を対象家電危機の時計機能部に書込み設定することができ、設定が容易で、確実な設定を行なうことができる
【発明を実施するための最良の形態】
【０００９】
以下、本発明を家電機器たる洗濯機例えばドラム式洗濯機に適用した一実施例につき、図面を参照して説明する。
図３に示すように、ドラム式洗濯機１は、外箱２を備えている。外箱２は、底板３と左側板４と右側板５と前板６と天板７と後板８とを相互に接合して構成されたものであり、前板６には、洗濯物出入口（図示せず）を開閉するドア９が回動可能に設けられている。
【００１０】
外箱２内には、図示はしないが、周壁に多数の孔を有する横軸形の回転ドラム、この回転ドラムを収納する水受槽，この水受槽内に給水する給水弁、水受槽から排水する排水弁、前記回転ドラムを回転駆動するアウタロータ形のブラシレスモータからなる洗濯機モータ、前記回転ドラム内に乾燥運転用の温風を供給する温風供給装置等が設けられている。
【００１１】
外箱２の前板６には、図１に示すように、操作パネル１０が固定されている。この操作パネル１０には、図４に示すように、電源入スイッチ１１、電源切スイッチ１２、洗濯スイッチ１３、洗乾スイッチ１４、乾燥スイッチ１５が装着されており、洗濯スイッチ１３が操作されたときには洗濯コースが設定され、洗乾スイッチ１４が操作されたときには洗乾（洗濯乾燥）コースが設定され、乾燥スイッチ１５が操作されたときには乾燥コースが設定される。更に、操作パネル１０には、スタートスイッチ１６及び液晶表示器からなる表示器１７および予約スイッチ１８が装着されている。表示器１７は、時刻表示領域１７ａを有するものであり、時刻表示領域１７ａには常には現在時刻が「時」および「分」の単位で示される。なお、操作パネル１０には、操作部としての操作スイッチ１０ａないし１０ｄが装着されており、例えば、操作スイッチ１０ａが操作されたときには、洗いの時間を変更することができ、操作スイッチ１０ｂが操作されたときには、すすぎ回数を変更することができ、操作スイッチ１０ｃが操作されたときには、脱水時間を変更することができ、そして、操作スイッチ１０ｄが操作されたときには、乾燥時間を変更することができるようになっている。
【００１２】
次に、ドラム式洗濯機１の電気的構成につき、図２を参照して説明する。
制御手段たる制御装置１９は、例えば操作パネル１０内に配設されたもので、マイクロコンピュータを主体に構成され、ＲＯＭ２０およびＲＡＭ２１を有する。ＲＯＭ２０には、周知のように、各種の洗濯運転（例えば、前述した洗濯コース、洗乾コース、乾燥コース）、制御動作を実行するための運転プログラム、制御プログラムおよび必要なデータが格納されている。この制御装置１９の入出力ポートには、操作パネル１０が接続されており、これらの間で信号の授受が行なわれるようになっている。
【００１３】
洗濯機負荷２２は、前述の給水弁、排水弁、洗濯機モータ、温風供給装置等を一括して示したもので、駆動回路（洗濯機モータ用インバータ回路を含む）２３を介して制御装置１９の出力ポートに接続されている。なお、外箱２内には、直流電源回路（図示せず）が配設されており、この直流電源回路により商用電源の交流電圧（１００Ｖ）から作動直流電圧（例えばインバータ回路用の２８２Ｖ）および制御直流電圧Ｖｃ（例えば５Ｖ）等を作成するようになっている。そして、制御直流電圧Ｖｃの電源端子２４は、制御装置１９の正（＋）電源ポートに接続されている。なお、制御装置１９の負（−）電源ポートはアースされている。
【００１４】
コネクタ２５は、正、負電源端子および信号端子を有するもので、これらは、接続線（正、負電源線および信号線）２６を介して制御装置１９の正、負電源ポート（制御直流電圧Ｖｃ）および入出力ポートに接続されており、正、負電源端子に制御直流電圧Ｖｃが印加されるとともに、信号端子と制御装置１９の入出力ポートとの間で信号の授受が行なわれるようになっている。このコネクタ２５は、前記操作パネル１０に引き出し可能に収納されるようになっている。コネクタ２７は、上記コネクタ２５と同様に正、負電源端子および信号端子を有するもので、コネクタ２５に着脱可能に接続されるようになっている。このコネクタ２７は、接続線（正、負電源線および信号線）２８に接続されていて、これを介して操作パネル１０に引き出し可能に収納されるようになっている。
【００１５】
コネクタ２７において、正電源端子は、時計機能部たる時計用制御回路３０の正電源ポートに接続線２８の正電源線およびダイオード２９を介して接続され、負電源端子は、接続線２８の負電源線を介してアースされ、信号端子は、接続線２８の信号線を介して時計用制御回路３０の入出力ポートに接続されている。
【００１６】
制御手段たる時計用制御回路３０は、操作パネル１０内に配設されたもので、マイクロコンピュータを主体として構成されており、ＲＯＭ３１、記憶手段たるＲＡＭ３２および時計用のカウンタ３３を有する。ＲＯＭ３１には、時計機能を発揮するための制御プログラムおよび必要なデータが格納されている。なお、時計用制御回路３０の負電源ポートは、アースされている。時計用制御回路３０のバックアップ用電池３４は、操作パネル１０内に配設されており、前記制御直流電圧Ｖｃよりも若干低い電圧（時計用制御回路３０の動作可能な例えば４．５Ｖ）のバックアップ直流電圧Ｖｂを発生する。そして、バックアップ用電池３４において、その正極は、ダイオード３５を介して時計用制御回路３０の正電源ポートに接続されており、負極は、アースされている。
【００１７】
さて、図５に示すように、家電用時刻書込み装置３６は、筐体３７を備えており、筐体３７の前面には操作パネル３８が設けられている。そして、操作パネル３８には、表示手段としての現在時刻表示器３９および書込み時刻表示器４０が装着されている。この場合、現在時刻表示器３９および書込み時刻表示器４０は、夫々液晶表示器から構成され、現在時刻および書込み時刻が「時」、「分」および「秒」の単位で表示するようになっている。
【００１８】
上記操作パネル３８には、選択手段としての選択スイッチ４１ないし４４が装着されている。選択スイッチ４１は、基準刻たる「日本」国用、選択スイッチ４２は、「Ａ」国用、選択スイッチ４３は、「Ｂ」国用、選択スイッチ４４は、「Ｘ」国用であり、夫々選択操作されると点灯する（バックライトが点灯する）表示器兼用のものである。更に、操作パネル３８には、表示手段たる国変更表示器４５、書込み中表示器４６、書込み異常表示器４７が装着されている。そして、操作パネル３８には、スタートスイッチ４８が装着されており、これは状態を変化、変更する場合に操作される。
【００１９】
しかして、家電用時刻書込み装置３６の電気的構成につき、図１を参照して説明する。
制御手段たるマイクロコンピュータ４９は、筐体３７内に配設されたもので、ＲＯＭ５０およびＲＡＭ５１を有する。ＲＯＭ５０には、時刻書込みのための制御プログラムが格納されているとともに、複数の外国、例えば、「Ａ」国、「Ｂ」国、……「Ｘ」国の現在時刻（現地時刻）に関する時データとして基準国たる「日本」国に対する時差データおよびその他の必要なデータが格納されている。このマイクロコンピュータ５９の入出力ポートは、操作パネル３８に接続されており、これらの間で信号の授受が行なわれるようになっている。そして、マイクロコンピュータ４９の出力ポートは、駆動回路５２を介して現在時刻表示器３９、書込み時刻表示器４０、国変更表示器４５、書込み中表示器４６および書込み異常表示器４７に接続されている。
【００２０】
上記外筐３７内には、直流電源回路（図示せず）が配設されており、この直流電源回路により商用電源の交流電圧（１００Ｖ）から制御直流電圧Ｖｃ（例えば５Ｖ）等を作成するようになっている。そして、制御直流電圧Ｖｃの電源端子５３は、マイクロコンピュータ４９の正（＋）電源ポートに接続されている。なお、マイクロコンピュータ４９の負（−）電源ポートはアースされている。
【００２１】
コネクタ５４は、正、負電源端子および信号端子を有するもので、これらは、接続線（正、負電源線および信号線）５５を介してマイクロコンピュータ５９の正、負電源ポート（制御直流電圧Ｖｃ）および入出力ポートに接続されており、正、負電源端子に制御直流電圧Ｖｃが印加されるとともに、信号端子とマイクロコンピュータ５９の入出力ポートとの間で信号の授受が行なわれるようになっている。このコネクタ５４は、前記コネクタ２７（図２および図４参照）に着脱可能に接続されるようになっている。
【００２２】
時計手段たる時計ＩＣ５６において、正電源端子は、ダイオード５７を介してマイクロコンピュータ４９の正電源ポート（制御直流電圧Ｖｃ）に接続され、負電源端子は、アースされており、信号端子は、マイクロコンピュータ４９の入出力ポートに接続されていて、マイクロコンピュータ４９との間で信号の授受が行なわれるようになっている。時計ＩＣ５６のバックアップ用電池３４は、外筐３７内に配設されており、前記制御直流電圧Ｖｃよりも若干低い電圧（時計ＩＣ５６の動作可能な例えば４．５Ｖ）のバックアップ直流電圧Ｖｂを発生する。そして、バックアップ用電池５８において、その正極は、ダイオード５９を介して時計ＩＣ５６の正電源端子に接続されており、負極は、アースされている。
【００２３】
次に、本実施例の作用について、図６および図７をも参照して説明するに、図６は、時計用制御回路３０のルーチンを示すフローチャート、図７は、マイクロコンピュータ４９のルーチンを示すフローチャートである。
【００２４】
先ず、ドラム式洗濯機１の通常の動作について述べる。ドラム式洗濯機１の通常動作時には、図２に示すように、コネクタ２７はコネクタ２５に接続されていて、時計用制御回路３０には制御装置１９を介して制御直流電圧Ｖｃが印加されており、従って、時計用制御回路３０は、動作を開始（スタート）して、図６に示すフローチャートを実行し、最初の処理ステップＳ１なる。ここでは、時計用制御回路３０のカウンタ３３に予め基準国たる「日本」国の現在時刻が設定されているものとし、時計用制御回路３０は、カウンタ３３にクロックパルスに基づいて１秒毎にカウントアップさせて現在時刻の計時動作を行なわせている。この場合、時計用制御回路３に制御直流電圧Ｖｃが印加されると、バックアップ用電池３５のｂアックアップ直流電圧Ｖｂは制御直流電圧Ｖｃより小（Ｖｂ＜Ｖｃ）であるので、ダイオード３５はカットオフ状態にあり、従って、時計用制御回路３０は電池駆動状態ではない。
【００２５】
時計用制御回路３０は、自身が電池駆動状態ではないことにより、判断ステップＳ２で「ＮＯ」と判断し、判断ステップＳ３に移行して、制御装置１９若しくはマイクロコンピュータ４９から信号が送信されているか否か（受信があるか否か）を判断する。制御装置１９は、時計用制御回路３０に対して定期的（１秒より極めて小なる時間）に現在時刻読出し信号を送信するようになっており、従って、時計用制御回路３０は、この現在時刻読出し信号を受信すると、判断ステップＳ３で「ＹＥＳ」と判断して、判断ステップＳ４に移行する。
【００２６】
時計用制御回路３０は、判断ステップＳ４では、受信した信号が書込み時刻信号か否かを判断するようになっており、この場合は現在時刻読出し信号であることにより「ＮＯ」と判断して判断ステップＳ８に移行する。制御装置１９は、作業者により操作パネル１０のスイッチが特殊操作された場合、例えば、操作スイッチ１０ａないし１０ｄの内のいずれか２つの操作スイッチが同時に操作された場合に、時計用制御回路３０に対して国名読出し信号を送信するようになっている。従って、時計用制御回路３０は、この場合は、受信した信号がス操作イッチ１０ａないし１０ｄの特殊操作による国名読出し信号ではなく、時刻読出し信号であることにより、判断ステップＳ８で「ＮＯ」と判断して次の処理ステップＳ７に移行する。
【００２７】
時計用制御回路３０は、処理ステップＳ７では、カウンタ３３から現在時刻を読出して現在時刻信号を制御装置１９に送信し、そして、処理ステップＳ１に戻るようになる。これにより、制御装置２９は、現在時刻信号を受信すると、その現在時刻を表示器１７に、例えば図４に示すように表示させる。制御装置１９は、前述したように、時計用制御回路３０に対して定期的（１秒より極めて小なる時間）に現在時刻読出し信号を送信するようになっており、従って、時計用制御回路３０は、定期的に判断ステップＳ３、Ｓ４、Ｓ８および処理ステップＳ７を繰り返して制御装置１９に現在時刻信号を送信するようになり、従って、表示器１７は現在時刻の表示を行なう。なお、制御装置１９のカウンタ３３は、「時」、「分」、「秒」の単位で計時動作を行なうが、表示器１７の表示は、「時」、「分」の単位までである。
【００２８】
しかして、使用者により、操作パネル１０の洗濯スイッチ１３、洗乾スイッチ１４或いは乾燥スイッチ１５が選択操作されて洗濯コース、洗乾コース或いは乾燥コースが設定されると、制御装置１９は、駆動回路２３を介して洗濯機負荷２２を駆動することにより洗濯コース、洗乾コース或いは乾燥コースを実行させる。なお、周知のように、洗濯コースとは、洗いから脱すまでを自動的に行なう運転、洗乾コースとは、洗いから乾燥までを自動的に行なう運転、乾燥コースとは、乾燥のみを行なう運転である。
【００２９】
また、制御装置１９は、操作スイッチ１０ａ、１０ｂ、１０ｃ或いは１０ｄが操作されたときには、前述の洗濯コース、洗乾コース或いは乾燥コースをその洗い時間、すすぎ回数、脱水時間或いは乾燥時間を変更して実行する。そして、制御装置１９は、使用者による予約スイッチ１８の操作に基づいて、予約時刻が表示器１７に表示された上でＲＡＭ２１に記憶されると、その予約時刻に上記選択設定された洗濯コース、洗乾コース或いは乾燥コースが開始させる予約運転を行なう。
【００３０】
なお、時計用制御回路３０は、信号の受信がなかった場合には、判断ステップＳ３で「ＮＯ」と判断して処理ステップＳ１に戻り、以下処理ステップＳ１、判断ステップＳ２およびＳ３を繰り返す。また、商用電源が停電したり、或いは、コネクタ２７がコネクタ２５から外されて（接続解除されて）時計用制御回路３０に制御直流電圧Ｖｃが印加されなくなった場合には、ダイオード３５が直ちにオンしてバックアップ直流電圧Ｖｂが時計用制御回路３０に印加されるようになる。そして、時計用制御回路３０は、電池駆動に切り換えられたことにより判断ステップＳ２で「ＹＥＳ」と判断して、以下、処理ステップＳ１および判断ステップＳ２を繰り返し、最低限の動作たる現在時刻の計時動作のみを行なう。
【００３１】
次に、家電用時刻書込み装置３６の作用について、図６および図７をも参照して説明する。
今、家電用時刻書込み装置３６には商用電源が供給されていて、マイクロコンピュータ４９は、制御直流電圧Ｖｃが印加されて、図７に示す動作を開始（スタート）しているものとする。そして、マイクロコンピュータ４９は、初期化段階ではＲＡＭ５１には基準国の国名として「日本」が記憶されている。更に、時計ＩＣ５６には、予め「日本」国の現在時刻が書込まれていて、時計ＩＣ５６は、制御直流電圧Ｖｃが印加されることにより現在時刻の計時動作を行なっている。
【００３２】
従って、マイクロコンピュータ４９は、処理ステップＴ１では、時計ＩＣ５６から現在時刻を読出して現在時刻表示器３９に表示させ、判断ステップＴ２に移行する。マイクロコンピュータ４９は、判断ステップＴ２では、選択スイッチ４１ないし４４により国名が選択されたか否かを判断するもので、ここでは、「ＮＯ」と判断して処理ステップＴ３に移行し、ＲＡＭ５１に記憶された国名、この場合には「日本」を読出して対応する「日本」国用選択スイッチ４１を点灯させる。
【００３３】
そして、マイクロコンピュータ４９は、処理ステップＴ４に移行して、後述するように、基準国たる「日本」国とＲＡＭ５１に記憶された国との時差データから書込み時刻（現地時刻）を演算して、これを処理ステップＴ５で書込み時刻表示器４０に表示させるが、この場合には、ＲＡＭ５１に記憶された国名が「日本」国であるので、書込み時刻表示器４０には現在時刻表示器３９と同時刻が表示される。マイクロコンピュータ４９は、次に判断ステップＴ６に移行して、スタートスイッチ４８が操作されたか否かを判断するもので、ここでは、「ＮＯ」と判断して処理ステップＴ１に戻り、以下、処理ステップＴ１、判断ステップＴ２、処理ステップＴ３ないしＴ５および判断ステップＴ６を繰り返す。
【００３４】
さて、メーカの工場において、ドラム式洗濯機１の時計用制御回路３０に「日本」国以外の国即ち輸出先の国の現在時刻を書込んで動作させる場合について説明する。この場合には、作業者は、コネクタ２８をコネクタ２５から外してコネクタ５４に接続する。これにより、時計用制御回路３０には、マイクロコンピュータ４９からの制御直流電圧Ｖｃが印加される。
【００３５】
作業者が例えば家電用時刻書込み装置３６の「Ａ」国用選択スイッチ４２を操作したとすると、マイクロコンピュータ４９は、図７に示す判断ステップＴ２で「ＹＥＳ」と判断して判断ステップＴ１３に移行し、ここで、スイッチ４２で選択された国名がＲＡＭ５１に記憶されている国名と異なるか否かを判断する。マイクロコンピュータ４９は、判断ステップＴ１３では「ＹＥＳ」と判断して処理ステップＴ１４となり、選択スイッチ４１の代わりに「Ａ」国用選択スイッチ４２を点灯させるとともに、国変更表示器４５を点灯させ、判断ステップＴ１５に移行する。なお、作業者が「Ａ」国用選択スイッチ４２を操作すべきところを誤って「日本」国用選択スイッチ４１を操作したとすると、マイクロコンピュータ４９は、判断ステップＴ１３で「ＮＯ」（ＲＡＭ５１の記憶国名と一致）と判断して判断ステップＴ１に戻る。
【００３６】
マイクロコンピュータ４９は、判断ステップＴ１５では、国変更確認のためにスタートスイッチ４８が操作されたか否かを判断するもので、作業者がスタートスイッチ４８を操作したときには、「ＹＥＳ」と判断して、処理ステップＴ１６に移行し、ＲＡＭ５１に「Ａ」国を記憶させるとともに、ＲＯＭ５０から「Ａ」国の時差データを読出してＲＡＭ５１に記憶させ、処理ステップＴ３に戻る。なお、マイクロコンピュータ４９が処理ステップＴ１６に移行すると、「Ａ」国用選択スイッチ４２および国変更表示器４５の点灯表示は停止される。また、作業者が「Ａ」国用選択スイッチ４２を操作すべきところを誤って他の国用の選択スイッチを操作したとすると、「Ａ」国用選択スイッチ４２以外の選択スイッチが点灯するので、作業者はそのまま放置する。これにより、マイクロコンピュータ４９は、判断ステップＴ１５で「ＮＯ」と判断して判断ステップＴ１７で一定時間の経過を待ち（「ＮＯ」）、一定時間が経過すれば（「ＹＥＳ」）、処理ステッＴ３に戻る。
【００３７】
マイクロコンピュータ４９は、判断ステップＴ１５を経て処理ステップＴ３に移行すると、ここでは、再び「Ａ」国用選択スイッチ４２を点灯させ、処理ステップＴ４に移行する。マイクロコンピュータ４９は、処理ステップＴ４では、ＲＡＭ５１から「Ａ」国の時差データを読出すとともに、時計ＩＣ５６から「日本」国の現在時刻を読出して、これらの時差データと現在時刻とに基づいて「Ａ」国の現在時刻（現地時刻）を演算し、処理ステップＴ５でその現地時刻を書込み時刻として書込み時刻表示器４０に表示させる。その後、マイクロコンピュータ４９は、判断ステップＴ６で「ＮＯ」と判断して処理ステップＴ１に戻り、以下、処理ステップＴ１、判断ステップＴ２、処理ステップＴ３ないしＴ５および判断ステップＴ６を繰り返す。これにより、現在時刻表示器３９には、「日本」国の現在時刻が表示され、書込み時刻表示器４０には、「Ａ」国の現在時刻が書込み時刻として表示される。
【００３８】
このような状態において、作業者がドラム式洗濯機１の時計用制御回路３０に「Ａ」国の現在時刻を書込むべくスタートスイッチ４８を操作すると、マイクロコンピュータ４９は、判断ステップＴ６で「ＹＥＳ」と判断して、処理ステップＴ７に移行し、ＲＡＭ５１に記憶されている「Ａ」国の国名と書込み時刻表示器４０に表示された「Ａ」国の現在時刻とを示す信号を時計用制御回路３０に送信する。そして、マイクロコンピュータ４９は、処理ステップＴ８で書込み中表示器４６を点灯させた後、判断ステップＴ９で時計用制御回路３０から返信があるか否かを判断し、「ＮＯ」（返信なし）の時には処理ステップＴ８に戻って、以後、処理ステップＴ８および判断ステップＴ９を繰り返す。
【００３９】
一方、時計用制御回路３０においては、マイクロコンピュータ４９から「Ａ」国の国名と現在時刻とを示す信号が送信されると、図６に示す判断ステップＳ３で「ＹＥＳ」と判断して次の判断ステップＳ４に移行し、受信した信号が書込み時刻信号か否かを判断し、ここでは「ＹＥＳ」と判断して処理ステップＳ５に移行する。時計用制御回路３０は、処理ステップＳ５では、カウンタ３３に「Ａ」国の現在時刻を書込み、処理ステップＳ６ではＲＡＭ３２に送信されてきた国名たる「Ａ」国名をＲＡＭ３２に記憶させる。そして、時計用制御回路３０は、処理ステップＳ７に移行して、カウンタ３３に書込まれた現在時刻を信号としてマイクロコンピュータ４９に送信し、処理ステップＳ１に戻る。従って、時計用制御回路３０は、以後は、処理ステップＳ１、判断ステップＳ２およびＳ３を繰り返すようになり、カウンタ３３は、「Ａ」国の現在時刻（現地時刻）の計時動作を行なう。
【００４０】
更に、マイクロコンピュータ４９においては、時計用制御回路３０からのカウンタ３３に書込まれた現在時刻信号を受信すると、図７に示す判断ステップＴ９で「ＹＥＳ」と判断して、判断ステップＴ１０に移行する。なお、マイクロコンピュータ４９が判断ステップＴ１０に移行すると、書込み中表示器４７の点灯表示は停止される。
【００４１】
マイクロコンピュータ４９は、判断ステップＴ１０では、受信した書込み時刻と時計用制御回路３０から返信された現在時刻をと比較して、両者が一致しているときには、「ＮＯ」（異常なし）と判断して処理ステップＴ１に戻り、逆に、両者が一致していないときには、「ＹＥＳ」（異常あり）と判断して処理ステップＴ１１に移行する。マイクロコンピュータ４９は、処理ステップＴ１１に移行すると、書込み異常表示器４７を点灯させ、判断ステップＴ１２に移行する。マイクロコンピュータ４９は、判断ステップＴ１２では、この異常事態を認識してこの事態から抜け出すべく作業者がスタートスイッチ４８を操作したか否かを判断するもので、「ＮＯ」（操作なし）のときには、処理ステップＴ１１を繰り返し、「ＹＥＳ」（操作あり）のときには、処理ステップＴ１に戻る。従って、作業者は、操作をやりなおすことになる。
【００４２】
このようにして、作業者は、コネクタ５４を他の家電機器たるドラム式洗濯機のコネクタ（２７）に順次接続してスタートスイッチ４８を操作することにより、そのドラム式洗濯機の時計用制御回路に「Ａ」国の現地時刻を書込んで計時動作を実行させることができる。なお、「Ａ」国以外の外国の現地時刻をドラム式洗濯機１および他のドラム式洗濯機の時計用制御回路に書込む場合についても、図６および図７に示すフローチャートにより同様に実行される。
【００４３】
そして、メーカの工場側では、ドラム式洗濯機１の輸出先を確認するために、次のような検査を行なうことができる。即ち、ドラム式洗濯機１を通常状態にして、作業者が操作パネル１０の操作スイッチ１０ａないし１０ｄの内の２つの操作イッチ例えば１０ａおよび１０ｂを同時に操作（特殊操作）したとすると、制御装置１９は、時計用制御回路３０に対して国名呼び出し信号を送信するようになる。これにより、時計用制御回路３０は、図６に示す判断ステップＳ８で「ＹＥＳ」と判断して処理ステップＳ９に移行し、ここでＲＡＭ３２に記憶された国名として例えば「Ａ」国名を制御装置１９に送信する。制御装置１９のＲＯＭ２０には、複数の国たる「日本」国、「Ａ」国、「Ｂ」国、……「Ｘ」国に割り当てられた数値が記憶されており、その記憶された数値に基づき「Ａ」国名の数値を表示器１７に表示するようになる。これにより、作業者は、このドラム式洗濯機１の輸出先を確認することができる。
【００４４】
なお、家電機器用時刻書込み装置３６において、商用電源が停電し、或いは、その他により、時計ＩＣ５６にマイクロコンピュータ４９から制御直流電圧Ｖｃが印加されなくなった場合には、ダイオード５９が直ちにオンしてバックアップ直流電圧Ｖｂが時計ＩＣ５６に印加されるようになる。従って、時計ＩＣ５６は、現在時刻の計時動作を続行する。
【００４５】
このように、本実施例によれば、家電機器用時刻書込み装置３６のマイクロコンピュータ４９は、選択スイッチ４１ないし４４により選択された国に関する時差データをＲＯＭ５０から読み出してこの時差データから当該選択された国の現在時刻を演算し、その結果を対象とするドラム式洗濯機１の時計用制御回路３０に書込み、時計動作を実行させるようにしたので、基準となる国の現在時刻を時計用ＩＣ５６に予め書込んでおくだけで種々の国の現在時刻を対象ドラム式洗濯機の時計用制御回路に書込み設定することができ、設定が容易で、確実な設定を行なうことができる。
【００４６】
また、家電機器用時刻書込み装置３６に、基準国の現在時刻を表示する現在時刻表示器３９とは別に、ドラム式洗濯機１の時計用制御回路３０に書込むための現在時刻を表示する書込み時刻表示器４０を装着するようにしたので、書込み時刻の確認が容易である。
【００４７】
マイクロコンピュータ４９は、ドラム式洗濯機１の時計用制御回路３０のカウンタ３３に書込んだ現在時刻の国名を当該ドラム式洗濯機１側の記憶手段たるＲＡＭ３２に、そのドラム式洗濯機１の有する操作スイッチ１０ａないし１０ｄの特殊操作により読み出し可能に書込むようにしたので、輸出先の国名の確認も容易に行なうことができる。
【００４８】
そして、マイクロコンピュータ３９は、スイッチ４１ないし４４により選択された国が前回に選択された国と異なるときには、時刻書込みの国の変更を国変更表示器４５に表示せるようにしたので、間違った国の時刻設定を行なうことを防止できる。
【００４９】
なお、上記実施例では、家電機器用時刻書込み装置３６のＲＯＭ５０に諸外国の時差データを記憶させるようにしたが、代わりに、諸外国の現在時刻に関する時データとして例えば現在時刻テーブルを記憶させるようにしてもよい。
【００５０】
また、本発明は、ドラム式洗濯機に限定されず、他の洗濯機例えば全自動洗濯機に適用することもでき、更には、洗濯機に限らず、電子レンジ、空調装置等、家電危機全般に適用することができる。
【００５１】
その他、本発明は上記しかつ図面に示す実施例にのみ限定されるものではなく、要旨を逸脱しない範囲内で適宜変形して実施し得ることは勿論である。
【図面の簡単な説明】
【００５２】
【図１】本発明の一実施例の家電用時刻書込み装置の電気的構成を示すブロック線図
【図２】ドラム式洗濯機の電気的構成を示すブロック線図
【図３】ドラム式洗濯機の斜視図
【図４】操作パネルの斜視図
【図５】家電用時刻書込み装置の斜視図
【図６】作用説明用のフローチャート
【図７】作用説明用のフローチャート
【符号の説明】
【００５３】
図面中、１はドラム式洗濯機（洗濯機、家電機器）、１０は操作パネル、１０ａないし１０ｄは操作スイッチ（操作部）、１７は表示器、１９は制御装置、３０は時計用制御回路（時計機能部）、３２はＲＡＭ（記憶手段）、３６は家電機器用時刻書込み装置、３８は操作パネル、３９は現在時刻表示器（表示手段）、４０は書込み時刻表示器（表示手段）、４１ないし４４は選択スイッチ（選択手段、表示手段）、４５は国変更表示器（表示手段）、４８はスタートスイッチ、４９はマイクロコンピュータ（制御手段）、５０はＲＯＭ（記憶手段）、５６は時計ＩＣ（時計手段）を示す。
【図１】
2008241315.tif 000003
【図２】
2008241315.tif 000004
【図３】
2008241315.tif 000005
【図４】
2008241315.tif 000006
【図５】
2008241315.tif 000007
【図６】
2008241315.tif 000008
【図７】
2008241315.tif 000009